(57)【特許請求の範囲】
【請求項１】
面格子周枠内に縦長又は横長の多数のルーバーを開閉可能に配設してなる可動ルーバー面格子において、面格子周枠の室内側にはルーバー長手方向中間所要部にルーバーと直交する支柱を設け、この支柱から各段のルーバーごとに支持アームを突出させて、各支持アームの先端部に各ルーバーの長手方向中間所要部を軸支してなる可動ルーバー面格子であって、前記支持アームは支柱長手方向に延びる基杆の一側部に各ルーバーの各段のピッチと同じ一定ピッチで複数個一体形成されたもので、その基杆は複数本が継ぎ足して使用され、各基杆に設けられたビス挿通孔により複数本の基杆が支柱にビス止めされることによって各段のルーバーに対応する支持アームが支柱から突出するように取り付けるようにした可動ルーバー面格子。
【請求項２】
前記ルーバーは、所要数個のルーバーからなるルーバー群ごとに他のルーバー群と独立して連動開閉するようになっている請求項１に記載の可動ルーバー面格子。
【発明の詳細な説明】
【０００１】
【発明の属する技術分野】
本発明は、面格子周枠内に縦長又は横長の多数のルーバーを開閉可能に配設してなる可動ルーバー面格子に関する。
【０００２】
【従来の技術】
従来より使用されている可動ルーバー面格子では、各ルーバーの長さがせいぜい１ｍ程度である。ルーバーの長さが２〜３ｍあるいはそれ以上もあるような大型の可動ルーバー面格子は未だ提供されていない。本発明は、そのような長尺状のルーバーからなる可動ルーバー面格子を提供するものである。
【０００３】
【発明が解決しようとする課題】
上記のような長尺状の可動ルーバー、特に水平に延びる横長のルーバーが多段状に配設された可動ルーバー面格子では、ルーバー自体の重量が相当大きくなるため、ルーバーの両端部を面格子周枠に軸架した場合、その両端部の軸受部分に大きな荷重が集中して、ルーバーの開閉回動操作に困難を来たし、またルーバーの中間部が自重で撓み変形して、その開閉回動操作が一層困難となると云った問題がある。
【０００４】
本発明が解決しようとする課題は、上記のような多数の長尺状ルーバーを面格子周枠内に開閉可能に配設してなる可動ルーバー面格子において、ルーバー両端部の軸受部分に荷重が集中したり、自重でルーバーの中間部が撓み変形するのを回避することである。
【０００５】
【課題を解決するための手段】
請求項１に係る発明は、面格子周枠７内に縦長又は横長の多数のルーバー８を開閉可能に配設してなる可動ルーバー面格子において、面格子周枠７の室内側でルーバー長手方向中間所要部にルーバー８と直交する支柱９を設け、この支柱９から各段のルーバー８ごとに支持アーム１０を突出させて、各支持アーム１０の先端部に各ルーバー８の長手方向中間所要部を軸支してなる可動ルーバー面格子であって、前記支持アーム１０は長手方向に延びる基杆２２の一側部に各ルーバー８の各段のピッチと同じ一定ピッチで複数個一体形成されたもので、その基杆２２は複数本が継ぎ足して使用され、各基杆２２に設けられたビス挿通孔２２ａにより複数本の基杆２２が支柱９にビス２４止めされることによって各段のルーバー８に対応する支持アーム１０が支柱９から突出するように取り付けるようにしたことを特徴とする。
【０００６】
請求項２は、請求項１に記載の可動ルーバー面格子において、前記ルーバー８は、所要数個のルーバー８からなるルーバー群ごとに他のルーバー群と独立して連動開閉するようになっていることを特徴とする。
【０００７】
【発明の実施の形態】
図１は本発明に係る可動ルーバー面格子の正面図、図２の（Ａ）はその面格子の概略横断面図、（Ｂ）は概略縦断面図であり、図３は図１のＸ−Ｘ線拡大断面図、図４は図１のＹ−Ｙ線拡大断面図、図５は図１のＶ−Ｖ線拡大断面図、図６は図５のＺ−Ｚ線断面図、図７は図１のＷ−Ｗ線拡大断面図、図８は図７のＵ−Ｕ線断面図である。ここに示す可動ルーバー面格子１は、建物躯体２の窓開口部３室外側に設置されたもので、左右縦枠４，４と上下横枠５，６とからなる面格子周枠７を有し、この面格子周枠７内に水平に延びる横長の長尺状ルーバー８が上下多段状に配置されている。ここでは、例えば約４０個のルーバー８が多段状に配置されていて、図２の（Ｂ）に概略示すように、例えば１０個のルーバー８からなるルーバー群を４つ形成し、各ルーバー群ごとに他のルーバー群と独立して連動開閉できるようになっている。そして、図１、図３、図５及び図６に示すように、面格子周枠７の室内側にはその見付方向中間部に２本の支柱９，９が所要間隔をおいて配設され、各支柱９からは各段のルーバー８ごとに支持アーム１０が突出していて、各支持アーム１０の先端部に各ルーバー８の長手方向中間所要部が軸支されている。
【０００８】
上記可動ルーバー面格子１の構造について更に詳細に説明すると、各ルーバー８は、図５及び図７から分かるように、アルミニウムの押し出し型材によって、例えば厚さ８ｍｍ、幅５３ｍｍ、長さ約２７００ｍｍの中空平板状に形成されたもので、回転軸線Ｏに沿って軸孔１１が貫通形成されている（図７参照）。尚、この場合、面格子周枠７の見付幅は約２８００ｍｍ、その高さは約２２００ｍｍとされる。
【０００９】
図８に示すように、各ルーバー８の両端には夫々回転支軸１２が回転軸線Ｏに沿って一体に突設してあって、各回転支軸１２は、面格子周枠７の縦枠４側に軸受部材１３を介して回転自在に支持されている。また図８及び図４に示すように、各ルーバー８の一端に突設された回転支軸１２にはクランクアーム１４が突設され、各クランクアーム１４は、一方の縦枠４内において連杆１５によって枢支連結され、それにより複数のルーバー８が連動して開閉するようになっている。この場合、前記したように、ルーバー８が全部で４０個あるものとして、１０個のルーバー８の各クランクアーム１４が連杆１５により枢支連結されて、この１０個のルーバー８を１ルーバー群とし、各ルーバー群ごとに独立して連動開閉するようになっている。
【００１０】
尚、図４は、図１のＹ−Ｙ線拡大断面図で、図１の左側の縦枠４を縦断したものであるから、この図４にはルーバー８は実際に見えないけれども、クランクアーム１４が同図の実線図示位置にあるとき、ルーバー８が水平姿勢で全開位置となるから、その水平姿勢の全開位置を点線で図示し、またクランクアーム１４が同図の二点鎖線図示位置まで反時計回りに回転したとき、ルーバー８が略垂直姿勢となって全閉位置となるから、その略垂直姿勢の全閉位置を二点鎖線で図示している。
【００１１】
また、図示は省略するが、前記のように夫々１０個のルーバー８からなる各ルーバー群の開閉操作においては、各ルーバー群の何れか１つのルーバー８に取り付けたハンドルを操作することによって、各ルーバー群を開閉操作することができ、またこの場合、ハンドルは、各ルーバー群が全開位置から全閉位置まで例えは４段階に切り換えできると共に、各位置でロックできるようになっている。
【００１２】
次に、支柱９から各段のルーバー８ごとに突出した支持アーム１０による各ルーバー８の中間部支持構造について詳しく説明すると、先ず、各支柱９は、図３及び図５に示すように、その上下両端部が夫々ブラケット１６を介して面格子周枠７の上下横枠５，６にボルト１７で固定されている。そして、上部側ブラケット１６は取付金具１８を介して建物躯体２の天井壁部２ａにアンカーボルト１９で固定され、下部側ブラケット１６は取付金具２０を介して建物躯体２の窓下壁部２ｂにアンカーボルト１９で固定されている。
【００１３】
尚、上記取付金具１８，２０は、夫々ブラケット１６を介して面格子周枠７の上下横枠５，６を天井壁部２ａ及び窓下壁部２ｂに固定するものでもある。また、前記面格子周枠７の左右各縦枠４は、図７及び図８に示すように、夫々複数のブラケット２１を介してボルト１７及びアンカーボルト１９により建物躯体２の側壁部２ｃに固定されている。
【００１４】
前記支持アーム１０は、図９に示すように、上下方向に延びる基杆２２の一側部に一定のピッチ（多段状に配設されるルーバー８と同じピッチ）で複数個（例えば５個）が一体に形成されたもので、これらの支持アーム１０と基杆２２は、金属板をプレス加工することによって形成される。また図９に示すように、各支持アーム１０の先端部には孔１０ａが設けられ、基杆２２には複数のビス挿通孔２２ａが設けられている。また、基杆２２の上下両端部には鉤形の接続用位置決め部２２ｂ，２２ｃが形成されている。
【００１５】
前記支柱９は、図６に示すように、アルミ押し出し型材からなる中空角筒状の支柱本体９ａと、この支柱本体９ａの凹段部２３に係嵌されるアルミ押し出し型材製の押え枠９ｂとからなるもので、複数個の支持アーム１０を形成した前記基杆２２が支柱本体９ａの凹段部２３内に挿入されて、そのビス挿通孔２２ａによりビス２４止めされ、この状態で押え枠９ｂが凹段部２３に係嵌される。この際、基杆２２は複数本が継ぎ足して使用され、そして基杆２２の対向端部相互は接続用位置決め部２２ｂ，２２ｃにより係合して接続される。
【００１６】
上記のようにして基杆２２が支柱９内部に取り付けられることによって、この支柱９の室外側面からは、図３、図５及び図６に示すように各段のルーバー８に対応する支持アーム１０が突出することになり、しかして各支持アーム１０の先端部に各ルーバー８の長手方向中間所要部が軸支される。各支持アーム１０の先端部にルーバー８を軸支するにあたっては、図６に示すように、ルーバー８の中間所要部下面側に開口部２５を設け、この開口部２５内に支持アーム１０の先端部を挿入すると共に、支持アーム１０先端部の孔１０ａに通した枢着ピン２６をルーバー８の軸孔１１に挿着すればよい。
【００１７】
以上のように、この発明に係る可動ルーバー面格子１にあっては、面格子周枠７の室内側に２本の支柱９，９を見付方向所要間隔おきに配設し、各支柱９の室外側面から各段のルーバー８ごとに支持アーム１０を突出させて、各支持アーム１０の先端部に各ルーバー８の長手方向中間所要部を軸支したものであるから、各ルーバー８の自重による荷重は、各ルーバー８の両端部の回転支軸１２，１２を夫々軸支している面格子周枠７側の軸受部材１３，１３に集中せず、この両軸受部材１３，１３と、２本の支柱９，９から夫々突出する支持アーム１０，１０の先端部との４箇所に分散されることになり、したがって面格子周枠７側の軸受部材１３，１３の損傷等を防止し、その使用寿命を延ばすことができる。
【００１８】
また、各ルーバー８の中間部２箇所が支持アーム１０，１０によって軸支されるから、ルーバー８の中間部における撓み変形を回避して、ルーバー８の回転軸線Ｏを常に水平直線状に保持でき、それによってルーバー８の開閉回転操作を軽くスムーズに行わせることができる。
【００１９】
この実施形態においては、支柱９を面格子周枠７の見付方向中間部に２本配設したが、支柱の本数はルーバー８の重量及び長さに応じて適当な本数とすればよい。また、この実施形態では、支持アーム１０を支柱９とは別部材によって形成しているが、支柱９に支持アーム１０を一体に形成するようにしてもよい。しかしながら、この実施形態のようにすれば、支持アーム１０の製作ならびにルーバーに対する取付及び調整が容易となる。言い換えれば、上下方向に長く延びる支柱９に対し、面格子周枠７に配設される多数のルーバー８を軸支する複雑な構造の支持アーム１０を支柱９と同等の長さに一体に上下に延びて形成することは製作的に困難であるが、ルーバー８の配設個数に合わせて支持アーム１０を複数本分割して製作し、その基杆２２が継ぎ足して使用され、各基杆２２に設けられたビス挿通孔２２ａにより複数本の基杆２２が支柱９にビス２４止めされることによって各段のルーバー８に対応する支持アーム１０が支柱９から突出するように取り付けるようにすることによって、支持アーム１０の製作ならびにルーバーに対する取付及び調整が容易となるのである。
【００２０】
また、この実施形態では、ルーバー８の全部（全段）が一斉に連動開閉するのではなく、所要数個（例えば１０個）のルーバーからなるルーバー群ごとに他のルーバー群と独立して連動開閉できるようにしているが、全部（全段）のルーバー８が一斉に連動開閉するようにしてもよい。但し、面格子周枠７の高さが高くて、ルーバー８の段数が多くなる場合には、この実施形態のように所要数個のルーバーからなるルーバー群ごとに連動して開閉できるようにすることにより、採光、通風の調整を必要に応じて任意に且つ容易に行うことができる。
【００２１】
図１０は本発明に係る更に他の実施形態による可動ルーバー面格子３１を示す。この可動ルーバー面格子３１は、建物の例えばベランダに設置される手摺りとして利用されるもので、手摺り笠木（上横枠）３５と下枠枠３６と手摺り支柱３４（縦枠）とからなる面格子周枠３７内に、夫々縦長のルーバー８が横方向に一定ピッチで配設され、この面格子周枠３７の室内側にはルーバー長手方向中間所要部に例えば２本の横支柱９が配設され、各横支柱９からは、各ルーバー８ごとに支持アーム８が突出していて、各支持アーム８の先端部に各ルーバー８の長手方向中間所要部が軸支されている。各横支柱９は、手摺り支柱３４にブラケット１６を介してボルト１７で固定されている。他の詳細な構造については、前述した可動ルーバー面格子１と同様である。
【００２２】
以上、図１〜図１０によって説明した本発明の実施形態では、水平面に対し垂直に設置して、窓開口部の可動ルーバー面格子１、及びベランダ等の手摺りとしての可動ルーバー面格子３１について説明したが、本発明の可動ルーバー面格子は、例えば建物躯体から室外側へ傾斜状に張り出すように設置することによって、庇として利用することができ、また可動ルーバー面格子をアーケードの天井面に沿って水平に設置することによって、アーケードの採光を調整できるようになる。更に本発明の可動ルーバー面格子は、ビル等の屋上に設置される水槽や給水タンクの囲い、あるいは物置の側壁や扉に適用することができる。
【００２３】
【発明の効果】
請求項１に係る発明によれば、面格子周枠の室内側でルーバー長手方向中間所要部に支柱を設け、この支柱から各ルーバーごとに支持アームを突出させて、各支持アームの先端部に各ルーバーの長手方向中間所要部を軸支しているから、特に水平に延びる横長のルーバーが多段状に配設された可動ルーバー面格子では、各ルーバーの荷重は、各ルーバーの両端部を夫々軸支している面格子周枠側の軸受部分に集中せず、その面格子周枠側の軸受部分と、支柱から突出した支持アームとに分散されることになり、したがって面格子周枠側の軸受部材の損傷等を防止し、その使用寿命を延ばすことができると共に、各ルーバーの中間部における撓み変形を回避して、各ルーバーの回転軸線を常に水平直線状に保持でき、それによってルーバーの開閉回転操作を軽くスムーズに行わせることができる。縦長のルーバーが横方向に配列された可動ルーバー面格子においても同様であって、各支持アームの先端部で各ルーバーの長手方向中間所要部を軸支することにより、各ルーバーの中間部での撓み変形を回避して各ルーバーの回転軸線を常に直線状に保持し、それによってルーバーの開閉回転操作を容易にする。
【００２４】
また本発明によれば、支持アームは支柱長手方向に延びる基杆の一側部に各ルーバーの各段のピッチと同じ一定ピッチで複数個一体に形成されたもので、その基杆は複数本が継ぎ足して使用され、各基杆に設けられたビス挿通孔により複数本の基杆が支柱にビス止めされることによって各段のルーバーに対応する支持アームが支柱から突出するように取り付けるようにしたから、支持アームの製作ならびにルーバーに対する取付及び調整が容易となる。言い換えれば、上下方向に長く延びる支柱に対し、面格子周枠に配設される多数のルーバーを軸支する複雑な構造の支持アームを支柱と同等の長さに上下に長く一体に延びて形成することは製作的に困難であるが、ルーバーの配設個数に合わせて支持アームを複数本分割して製作し、その分割した各基杆を支柱にビス止めによって各段のルーバーに対応する支持アームを支柱から突出するように取り付けることによって、支持アームの製作ならびにルーバーに対する取付及び調整が容易となるのである。
【００２５】
請求項２に係る発明のように、所要数個のルーバーからなるルーバー群ごとに他のルーバー群と独立して連動開閉できるようにすれば、面格子周枠の高さが相当高く又はその横幅が相当長い場合には、採光、通風の調整を必要に応じて任意に且つ容易に行うことができる。
【図面の簡単な説明】
【図１】  本発明に係る可動ルーバー面格子の正面図である。
【図２】  （Ａ）は同上の可動ルーバー面格子の概略横断面図、（Ｂ）は概略縦断面図である。
【図３】  図１のＸ−Ｘ線拡大断面図である。
【図４】  図１のＹ−Ｙ線拡大断面図である。
【図５】  図１のＶ−Ｖ線拡大断面図である。
【図６】  図５のＺ−Ｚ線断面図である。
【図７】  図１のＷ−Ｗ線拡大断面図である。
【図８】  図７のＵ−Ｕ線断面図である。
【図９】  縦枠とこれに一体形成された支持アームを示す側面図である。
【図１０】  本発明の可動ルーバー面格子をベランダの手摺りとして利用した場合を示すもので、（Ａ）はその可動ルーバー面格子を屋外から見た正面図、（Ｂ）は（Ａ）のＱ−Ｑ線拡大断面図、（Ｃ）は（Ａ）のＲ−Ｒ線拡大断面図である。
【符号の説明】
１                可動ルーバー面格子
４                面格子周枠の縦枠
５，６            面格子周枠の横枠
７                面格子周枠
８                ルーバー
Ｏ                ルーバーの回転軸線
９                支柱
１０              支持アーム
１２              ルーバー端部の回転支軸
３１              可動ルーバー面格子
３７              面格子周枠
【図１】
0004427145.tif 000002
【図２】
0004427145.tif 000003
【図３】
0004427145.tif 000004
【図４】
0004427145.tif 000005
【図５】
0004427145.tif 000006
【図６】
0004427145.tif 000007
【図７】
0004427145.tif 000008
【図８】
0004427145.tif 000009
【図９】
0004427145.tif 000010
【図１０】
0004427145.tif 000011